(57)【要約】【課題】ユーザーが自由に位置情報や画像を記録することができるとともに、これらの画像を１つの記録媒体上に記録する場合に、色材の無駄や記録品位の低下を抑制する。【解決手段】ＢｋデータとＣＭＹデータを比較し、Ｂｋとカラー（ＣＭＹ）のいずれかのドットが同一位置に形成されるデータである場合には、カラーインクのドットを形成しないデータに変換する処理、すなわち、間引き処理を行なう（Ｓ４５）。これにより、Ｂｋとカラーが重ねて記録された場合には、Ｂｋが強く表現されてカラーが表現されないため、この部分のカラードットは形成しないで、無駄になるインクを使用しないようにする。【選択図】        図５
2004167816.tif 000002
【特許請求の範囲】
【請求項１】
それ自体の記録位置に対応付けられる位置情報の画像とその他の画像を１つの記録媒体上に記録するための記録方法であって、
前記位置情報画像を記録するための記録データに基づいて、当該位置情報画像を形成する色材のドットデータを取得し、
該取得した位置情報画像を形成する色材のドットデータに基づいて、前記その他の画像を形成する色材のドットデータを、当該その他の画像のドット密度を低下させるよう変更し、
前記位置情報画像の記録データと前記変更されたその他の画像の記録データとに基づいて前記１つの記録媒体に記録を行う、
ステップを有したことを特徴とする記録方法。
【発明の詳細な説明】
【０００１】
【発明の属する技術分野】
本発明は記録方法に関し、詳しくは、所定の位置情報を示す画像と通常の画像を１つの記録媒体上に記録するための記録方法に関するものである。
【０００２】
【従来の技術】
従来、シアン（Ｃ），マゼンタ（Ｍ），イエロー（Ｙ）等のカラーインク、またはこれらにブラック（Ｂｋ）インクを加えた複数色のインクを使用して記録媒体に記録を行う記録装置が知られている。
【０００３】
一方、文字などを手書することができる記録媒体として、例えば、その記録領域の全域に渡って所定の位置情報が予め印刷されたものが知られている。この位置情報は、それ自体が記録媒体において記録される位置を示す情報、つまり記録位置が記録媒体上の座標と関連付けられる情報を含むものであり、例えば、記録領域内に記録された複数の黒点パターンの組合せなどによって表すことができる。
【０００４】
このような位置情報が記録された記録媒体上に文字などを手書きする場合、画像の検出・読み取りが可能な小型カメラと一体化されたペンを用いることにより、記録媒体上におけるペン先の位置の周囲の上記パターンを上記カメラによって検出し、そのパターンから文字が書かれた位置およびその軌跡である文字等を認識することができる。なお、この手書き文字などの認識は、カメラの検出信号を、例えば無線通信を介してカメラからパーソナルコンピュータなどの種々の情報処理装置に送り、その情報処理装置による処理によって行うことができる。以下、このようなペンを用いて手書き文字などを入力する方法を「ペン入力法」ともいう。
【０００５】
【発明が解決しようとする課題】
しかしながら、上記のような位置情報は予め記録媒体に印刷されたものであり、ユーザーは、この位置情報が、例えば記録媒体の全面に印刷された記録媒体を購入して使用することなる。このため、記録媒体の使用目的に応じて、例えば、手書き位置を特定する領域の形状、サイズ、相対的位置などを柔軟に設定できないなど、位置情報を記録媒体に自由に記録して使用することができなかった。また、このような位置情報が印刷済みの記録媒体を用い、これに記録装置を用いて画像を記録しようとする場合、上述した位置情報の読み取りが阻害されて、最早、その位置情報としての機能を果たさなくなるおそれもある。このため、ユーザーは、記録装置により、位置情報が印刷済みの記録媒体に対して任意の画像を自由に記録することができなかった。
【０００６】
一方、記録装置によって以上のような位置情報をも記録することが考慮されるが、その場合は逆に、位置情報と画像が重ねて記録されることによって画像の記録品位が低下したり、また、インク等の色材が無駄になるおそれがある。
【０００７】
本発明は、上述の問題を解消するためになされたものであり、その目的とするところは、ユーザーが自由に位置情報や画像を記録することができるとともに、色材の無駄や画像の記録品位の低下を抑制することができる記録方法を提供することにある。
【０００８】
【課題を解決するための手段】
そのために本発明では、それ自体の記録位置に対応付けられる位置情報の画像とその他の画像を１つの記録媒体上に記録するための記録方法であって、前記位置情報画像を記録するための記録データに基づいて、当該位置情報画像を形成する色材のドットデータを取得し、該取得した位置情報画像を形成する色材のドットデータに基づいて、前記その他の画像を形成する色材のドットデータを、当該その他の画像のドット密度を低下させるよう変更し、前記位置情報画像の記録データと前記変更されたその他の画像の記録データとに基づいて前記１つの記録媒体に記録を行う、ステップを有したことを特徴とする。
【０００９】
以上の構成によれば、位置情報画像を形成する色材のドットデータに基づいて、位置情報画像以外のその他の画像を形成する色材のドットデータを、当該その他の画像のドット密度を低下させるよう変更するので、その他の画像のドットが、位置情報画像のドットと重なったり、あるいは位置情報画像のドットに隣接する場合を少なくすることができる。
【００１０】
【発明の実施の形態】
以下、図面を参照して本発明の実施形態を詳細に説明する。
（第１実施形態）
図１は、本発明を適用可能な記録装置の例として、インクジェット記録装置を説明するための図である。
【００１１】
インクジェット記録装置（本実施形態ではプリンタ形態の装置）１００の前側の給紙位置から矢印Ｐ方向に挿入された記録媒体１０５は、記録装置１００の後側にて搬送方向が反転されてから、送りローラ１０６によって矢印Ｒの副走査方向に送られて、記録ヘッド１０４の記録可能領域へ搬送される。記録可能領域における記録媒体１０５の下側位置には、プラテン１０７が設けらている。キャリッジ１０１は、２つのガイド軸１０２，１０３によって、それらの軸方向に沿う矢印Ｑ１，Ｑ２の主走査方向に移動可能となっており、不図示のステッピングモータの駆動により、記録領域を含む走査領域を往復走査する。キャリッジ１０１には、吐出口からインクを吐出可能な記録ヘッド１０４が搭載されている。記録ヘッド１０４の１回の主走査の終了後、記録媒体１０５を矢印Ｒの副走査方向に一定量だけ送ってから、次の主走査に備える。これらの主走査と副走査を繰り返すことによって、記録媒体１０５の１頁に画像を記録する。
【００１２】
本例の記録ヘッド１０４は、インクを収容するインクタンクと分離可能な形態または一体的に結合された形態でインクジェットカートリッジを構成する。記録ヘッド１０４は、インクタンクから供給されたインクを図中下向きの吐出口から記録媒体１０５に向かって吐出することによって、その記録媒体１０５上に画像を記録する。また、１０８はスイッチ部と表示部の配置部位であり、スイッチ部は記録装置の電源のオン／オフの切り替えや各種記録モードの設定等に使用され、表示部は記録装置の状態を表示可能に構成されている。
【００１３】
また、本例の記録ヘッド１０４はＹ，Ｍ，Ｃ，Ｂｋ（イエロー，マゼンタ，シアン，ブラック）の４色のインクを吐出可能であり、Ｙ，Ｍ，Ｃインク吐出用の吐出口数は各１２８、Ｂｋインク吐出用の吐出口数は３２０である。各インク色毎の吐出口は副走査方向に列状に配置されており、それらの吐出口の配置ピッチは、１／６００ｄｐｉ（ドット／インチ）に相当する約４２ミクロンである。記録ヘッド１０４は、吐出口ごとに電気熱変換体であるヒータを備え、このヒータが発生する熱エネルギーを利用してインクに気泡を生じさせ、この気泡の圧力によってインクを吐出する方式のものである。また、記録ヘッド１０４の駆動周波数は１５ｋＨｚであり、主走査方向に対して６００ｄｐｉの密度で記録動作が可能である。したがって、記録動作時のキャリッジ１０１の主走査方向の移動速度は２５ｉｎｃｈ／ｓ（インチ／秒）となる。
【００１４】
ここで、Ｂｋインクは、後述されるように、カーボンブラックを含む顔料を色材としたインク（以下、「カーボンＢｋインク」ともいう）であり、一方、Ｙ，Ｍ，Ｃの各インクは染料を色材としたインク（以下、「染料インク」ともいう）である。また、カーボンＢｋインクの吐出量は約３０ｐｌ（ピコリットル）、Ｙ，Ｍ，Ｃの各染料インクの吐出量は各約５ｐｌであり、１ドットの形成毎に、これらの体積の液体インクが吐出される。この記録装置による記録解像度は６００×６００ｄｐｉであり、記録媒体１０５は普通紙と呼ばれる通常使用の記録媒体を使用し、記録ヘッド１０４から吐出されるＢｋインク滴は１／６００インチ角の記録領域中に１ドットを形成し、Ｙ，Ｍ，Ｃのカラーインク滴は１／６００インチ角の記録領域中に２ドットを形成する。これらの数値は、同じ普通紙でも記録媒体１０５の特性に応じて変化する場合がある。本例の記録装置は、一般的に入手でき広く用いられている記録媒体の特性に合わせた設計となっている。
【００１５】
図２は、上記インクジェット記録装置における制御構成の主要部を示すブロック図である。上位（ホスト）装置５００から下位装置である記録装置１００に対して、記録すべき文字や画像の記録データが送信され、そのデータが受信バッファ４０１に蓄えられる。また、正しくデータが転送されているかどうかを確認するためのデータ、および記録装置１００の動作状態を知らせるためのデータが記録装置１００からホスト装置５００に送信される。ここで、上位装置５００とは、ＰＣ（パーソナルコンピュータ）やデジタルカメラ等であり、下位装置である記録装置１００に対して記録データの送信が可能な装置である。
【００１６】
受信バッファ４０１に蓄えられたデータは、ＣＰＵ４０２の管理下において、記録ヘッド１０４の主走査時に記録を行うためのデータに加工され、ランダムアクセスメモリ部（ＲＡＭ）４０３内のプリントバッファ部に記憶される。プリントバッファ部のデータは、記録ヘッドコントロール部４１０によって記録ヘッド１０４に転送され、そのデータに基づいて記録ヘッド１０４が駆動されることにより各色のインク吐出が行われ、文字などを含む画像が記録される。また、記録ヘッドコントロール部４１０は、記録ヘッド１０４の状態を示す温度情報等を検出してＣＰＵ４０２に送り、その情報に基づいて記録ヘッドコントロール部４１０が記録ヘッド１０４の駆動を制御する。
【００１７】
機械コントロール部４０４は、ＣＰＵ４０２からの指令により、キャリッジ１０１移動用のキャリッジモータや記録媒体１０５搬送用のラインフィードモータ等の機械部４０５を駆動制御する。センサ／ＳＷコントロール部４０６は、各種センサやＳＷ（スイッチ）からなるセンサ／ＳＷ部４０７からの信号をＣＰＵ４０２に送る。表示素子コントロール部４０８は、ＣＰＵ４０２からの指令に応じて、表示パネル群のＬＥＤや液晶表示素子等からなる表示部４０９を制御するように構成されている。
【００１８】
記録装置１００は、複数の記録モードの中からユーザーの選択入力に応じた記録モードを選択し、その選択された記録モードによって画像の記録が可能な構成となっている。例えば、高速に記録したい場合には１パス記録のモードを選択し、画像を高品位に記録したい場合には１６パス記録のモードを選択する。１パス記録モードは、同一の記録領域に対して記録ヘッド１０４の１回の記録走査によって画像を記録するためのモードであり、１６パス記録モードは、同一の記録領域に対して記録ヘッド１０４の副走査方向の位置を所定量づつずらしながら（記録媒体の搬送をしながら）、１６回の主走査によって画像を記録するためのモードである。
【００１９】
図３は、図２に示した上位装置としてのホストコンピュータ５００の構成を示すブロック図であり、このホストコンピュータ５００と図２にて説明した記録装置１００は、記録システムを構成する。
【００２０】
図３において、ホストコンピュータ５００は、ＣＰＵ２０２と、メモリ２０３と、外部記憶装置２０４と、入カ部２０５と、記録装置１００であるインクジェットプリンタとのインターフェイス２０６と、を備えている。ＣＰＵ２０２は、メモリ２０３に格納された種々のプログラムに従い各種の処理を実行し、例えば、入力部２０５を介したユーザの入力に応じて、画像（本明細書では文字などのキャラクタを含む）の作成、編集にかかる処理を実行する。そして、このような画像を記録する場合、上記プログラムの１つであるプリンタドライバによって、図５にて後述される、カーボンＢｋインク用のＢｋデータおよび各色染料インク用のＣＭＹデータを生成するとともに、これらのデータを合成する画像処理を行ない、記録装置１００で用いる記録データを作成する。詳しくは、上記作成、編集された画像のＲ、Ｇ、Ｂデータに対して、色変換、出力γ補正、量子化（２値化）など所定の画像処理を行い、Ｃ、Ｍ、Ｙの２値データを得る。また、この画像処理において、図４にて後述される黒点パターンを記録するためのカーボンＢｋインク用のＢｋの２値データを得る。ホストコンピュータ５００は、インターフェイス２０６を介して記録装置１００に接続されており、このような画像処理によって得られた記録データが記録装置１００に送られることにより記録が行われる。
【００２１】
なお、上記各種プログラムは、外部記憶装置２０４に記憶されてもよく、あるいは外部装置から供給される形態でもよい。
【００２２】
図４は、上述したペン入力法において用いられる位置情報の一例を説明する図であり、本実施形態では、この位置情報を記録装置１００によって記録する。詳しくは、１つの記録媒体に、この位置情報をカーボンＢｋインクによって記録し、また、位置情報以外の通常の画像をＣ、Ｍ、Ｙの各染料インクで記録する。
【００２３】
位置情報は、記録媒体１０５上における記録可能な領域の、例えば、全域に渡って点在する黒点の所定のパターンとして記録される。詳しくは、黒点は、記録媒体１０５上において想定した所定間隔の格子点を基準に記録され、例えば、格子間隔が約０．３ｍｍの各格子点の近傍に１つずつ記録される。図４に示すように、黒点の記録位置は格子点に対する位置関係により４つあり、格子点よりも上の位置Ｕ、格子点よりも下の位置Ｄ、格子点よりも右の位置Ｒ、格子点よりも左の位置Ｌのいずれかである。そして、このような黒点の所定の複数が形成する位置のパターンが「位置情報」を構成する。具体的には、例えば、格子点の所定の２次元配列におけるそれぞれの格子点近傍に記録される黒点の位置のパターンを、上記２次元配列で構成される単位領域毎に異ならせることにより、それぞれの位置パターン、つまり上記Ｕ、Ｄ、Ｒ、Ｌの組合せが、その単位領域の「位置情報」となる。この位置情報は、上述したように、ペン先端のカメラが黒点のパターン（位置情報の画像）を検出し、その位置パターンを単位領域ごとに読取ることにより、そのペン先がおかれた記録媒体における位置を知ることができ、あるいはペン先がおかれた位置が予め定めた記録媒体上の特定の領域であることを知ることができる。
【００２４】
また、この「位置情報」は、上記Ｕ、Ｄ、Ｒ、Ｌの組合せの場合の数を考慮すると、１枚の記録媒体の範囲を遥かに超えた膨大な仮想平面における位置を示す情報として利用することもできる。例えば、黒点の位置パターンとして同一のパターンを２度以上記録しない場合には、位置パターンと記録媒体個々を対応付けることによって、その黒点による位置パターンが記録された記録媒体１枚、１枚を特定することも可能となる。
【００２５】
以上のような位置情報が記録された記録媒体１０５上に文字などを手書きする場合には、小型カメラと一体化されたペン（ペン一体型カメラ）を用いることにより、上記のように「位置情報」を知ることができるとともに、このペンによって手書きされた文字などを含む画像を読み取ることができる。すなわち、そのペン先が移動する位置の軌跡を上記「位置情報」によって知ることができ、これにより、手書き文字などを認識することができる。なお、この手書き文字などの認識は、カメラの検出信号を入力する種々の情報処理装置によって行うことができる。
【００２６】
このようにカメラによって黒点のパターンを検出すべく、本例では、上述のとおり、このパターンはカーボンＢｋインクによって記録され、また、カメラはそのインクによる記録媒体１０５上のカーボンを検出する構成となっている。また、通常の画像は、カーボンを含まないＹ，Ｍ，Ｃの染料インクによって記録される。すなわち、本例のカメラは、これらの染料には反応せず、これらの画像は検出できない。
【００２７】
図５は、本発明の第１の実施形態にかかる画像処理の手順を示すフローチャートであり、上述したようにホストコンピュータ５００におけるプリンタドライバによる処理を示す。
【００２８】
ユーザが記録装置の上位装置であるホストコンピュータで、記録すべき文字や画像を選択し、記録ボタンを押すと本処理が開始される。本処理は、図４にて上述した黒点のパターンを形成するＢｋドットとこの黒点パターン以外の記録すべき通状の画像（本明細書では、「その他の画像」という）を形成するＣＭＹインクのいずれかのドットが重なって形成されるときは、その重なる位置の画像記録用のドット、すなわち、本実施形態ではＣＭＹインクのドットを間引く処理を行なう。これにより、ドットが重なることによる記録上無駄に使用されるインクをなくすことができ、また、カーボンＢｋインクと他のインクとのブリードを防止することができ、さらには、記録媒体に付与されるインク量多くなることによるコックリングをも防止することができる。
【００２９】
この合成処理を行なう前に、ステップＳ４１、Ｓ４２およびステップＳ４３、Ｓ４４で、それぞれ、Ｂｋの２値データ（ドットデータ）およびＣＭＹの２値データ（ドットデータ）を作成する。すなわち、ステップＳ４１で、記録する黒点のパターンデータを読み込む。そして、ステップＳ４２では、読み込んだデータに基づき、Ｂｋの２値データを作成する。例えば、上記パターンデータが、コードデータの形態で表わされている場合には、これをビットマップ形態のドットデータに変換する処理を行なう。一方、ステップＳ４３では、記録すべき文字や画像の記録データを読み込み、ステップＳ４４では、上述したように色変換、ガンマ補正を行なうとともに、量子化処理を行ない、ＹＭＣの２値データを作成する。なお、この処理で、記録する画像が黒の場合は、ＹＭＣの混合で記録することはもちろんである。
【００３０】
次に、ステップＳ４５で合成処理を行なう。すなわち、ＢｋデータとＣＭＹデータを比較し、Ｂｋとカラー（ＣＭＹ）のいずれかのドットが同一位置に形成されるデータである場合には、カラーインクのドットを形成しないデータに変換する処理、すなわち、間引き処理を行なう。具体的な処理は、カラーデータと、このカラーデータとｎｏｔ（Ｂｋデータ）データとの論理積データとする処理を行なう。
【００３１】
なお、Ｂｋデータとカラーデータの解像度、すなわち、それぞれのドット配列密度が異なる場合には、Ｂｋデータの解像度を基準に処理すればよい。例えば、Ｂｋデータが６００ｄｐｉ×６００ｄｐｉで、カラーデータが１２００ｄｐｉ×６００ｄｐｉの場合、Ｂｋドットの形成位置に対応するカラーデータと演算処理すればよい。
【００３２】
図６（ａ）は、記録したいカラードット、同図（ｂ）は、黒点パターンを構成するＢｋドット、同図（ｃ）は、これらカラードットとＢｋドットを合成したドットを示す。
【００３３】
これに対し、本実施形態では、上述のように、論理積演算を伴う合成処理を行なうことにより、同図（ｄ）に示すように、Ｂｋドットと同じ位置に形成されるカラーのドットを間引く。
【００３４】
これにより、Ｂｋとカラーが重ねて記録された場合には、Ｂｋが強く表現されてカラーが表現されないため、この部分のカラードットは形成しないで、無駄になるインクを使用しないようにすることができる。
【００３５】
また、記録媒体上の同一位置にＢｋドットと他の色のドットが形成されると、Ｂｋインクと隣接する他の色のインクとの間で滲み（ブリード）を発生し、ドット形状が乱れる不具合が発生する場合がある。本実施形態は、この不具合の防止にも有効である。
【００３６】
さらに、カラー記録により、記録媒体の単位面積当たりのインク打ち込み量を抑制でき、記録媒体のコックリング（うねり）を防止できる効果もある。
【００３７】
以上の記録データの生成を終了すると、ステップＳ４６では、記録データを記録装置１００へ送り記録を行なわせる。
【００３８】
なお、上記の実施形態では、カラーインクとしてＣＭＹの３色のインクを用いる場合を示したが、これに限られず、例えば、ＣＭＹに加え染料のＢｋインクを使用しても良い。
【００３９】
また、記録動作は、黒点パターンと画像が同じ走査によって記録されてもよく、また、別個に記録されてもよい。
【００４０】
さらに、上記の例では、図５に示したＢｋデータとＹＭＣ各色データの合成を含む記録データ生成処理は、記録装置の上位装置であるホスト装置、具体的にはＰＣで行うものとしているが、これに限定されるものではなく、例えば、記録装置内でＢｋデータおよびＹＭＣ各データを作成し、また、合成しても良い。このように、図５に示したＢｋデータとＹＭＣ各色データの生成処理を行う装置を、本明細書では「画像処理装置」という。
【００４１】
（第２実施形態）
上記第１の実施形態では、Ｂｋドットと同一位置の他の色のドットを間引くものとしたが、これに限定されるものではない。実際に形成されるドットは真円ではないがその平均直径はドット配列密度のピッチより大きい。このため、Ｂｋドットに隣接する他の色のドットがＢｋドットと接触する場合がある。そこで、本実施形態では、図６（ｅ）に示すように、Ｂｋドットと同じ位置のカラードットとともに、上下左右、左右の斜め上方、および左右の斜め下方において隣接するカラードットを間引く処理を行なう。
【００４２】
具体的には、図７に示すステップＳ５５の合成処理で、以下の演算を行なう。
【００４３】
この演算においては、ドットの印刷をするかしないかを示す２値のデータであるＢｋデータについて処理を行うものであり、まず、Ｂｋデータに対し、右側に１ドットシフトしたデータと、左側に１ドットシフトしたデータと、元のＢｋデータ、を論理和したデータを得る。次に、そこで得られたデータと、得られたデータに対し、上側に１ドットシフトしたデータと、下側に１ドットシフトしたデータ、を論理和したデータを得てこれをＢｋＴとする。そして、カラーデータとｎｏｔ（ＢｋＴ）との論理積をカラーデータとすることにより、上記の間引きが行なわれる。
【００４４】
（第３実施形態）
本実施形態は、Ｂｋデータ以外のカラーデータのデューティーを下げるものである。すなわち、Ｂｋドット含む所定の領域において、一律にその領域のカラードットのデューティーを下げることにより、Ｂｋドットとカラードットが重なり、または隣接する確率を減らすことができ、上述した各実施形態と同様の効果を得ることが可能となる。
【００４５】
次に、上記各実施形態で使用するインクの処方を示す。
１、カーボンＢｋインク：Ｂｋ（実施形態１）、Ｂｋ１（実施形態２）
＜顔料分散体１＞比表面積が２６０ｍ２／ｇでＤＢＰ吸油量が１１５ｍｌ／１００ｇのカーボンブラック１０ｇと、ｐ−アミノ安息香酸２．５ｇとを水７２ｇによく混合した後、これに硝酸１．６２ｇを滴下して７０℃で攪拌した。ここにさらに数分後、５ｇの水に１．０７ｇの亜硝酸ナトリウムを溶かした溶液を加え、さらに１時間攪拌した。得られたスラリーを濾紙（商品名：東洋濾紙Ｎｏ．２；アドバンティス社製）で濾過し、濾取した顔料粒子を十分に水洗し、９０℃のオーブンで乾燥させた。さらに、この顔料に水を足して顔料濃度１０重量％の顔料分散体を作製した。以上の方法によりカーボンブラックの表面に下記化学式に示される基を導入した。
【００４６】
【化１】
2004167816.tif 000003
【００４７】
（カーボンＢｋインク）
以下の成分を混合し、十分攪拌して溶解後、ポアサイズ３．０μｍのミクロフィルター（富士フィルム製）にて加圧濾過してブラックインク１を調製した。
・上記の顔料分散体１                                    ３０部
・安息香酸アンモニウム                                    １部
・トリメチロールプロパン                                ６部
・グリセリン                                                        ５部
・ジエチレングリコール                                    ５部
・アセチレングリコールエチレンオキサイド付加
物（商品名：アセチレノールＥＨ）    ０．１５部
・水                                                        ５２．８５部
【００４８】
２、染料インク
Ｙ：（イエローインク）
以下の成分を混合し、十分攪拌して溶解後、ポアサイズ０．２μｍのミクロフィルター（富士フィルム製）にて加圧濾過し、イエローインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．ダイレクトイエロー８６                ３部
・水                                                                    ８１部
【００４９】
Ｍ：（マゼンタインク）
以下の成分を混合し、十分攪拌して溶解後、ポアサイズ０．２μｍのミクロフィルター（富士フィルム製）にて加圧濾過し、マゼンタインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．アシッドレッド３５                        ３部
・水                                                                    ８１部
【００５０】
Ｃ：（シアンインク）
以下の成分を混合し、十分攪拌して溶解後、ポアサイズ０．２μｍのミクロフィルター（富士フィルム製）にて加圧濾過し、シアンインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．アシッドブルー９                            ３部
・水                                                                    ８１部
【００５１】
Ｂｋ２：（ブラックインク）
以下の成分を混合し、十分攪拌して溶解後、ポアサイズ０．２μｍのミクロフィルター（富士フィルム製）にて加圧濾過し、シアンインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．フードブラック２              ３部
・水                                                                    ８１部
【００５２】
（他の実施形態）
上述した実施形態においては、カーボンを検出可能なペン一体型のカメラを用いて「ペン入力法」に対応して、位置情報をカーボン含有のＢｋインクによって黒点パターンを記録した。しかしながら、ペン入力法において、位置情報の記録材は、カーボン含有のＢｋインクのみに限定されるものではなく、ペン一体型のカメラによって検出可能な記録材であればよい。例えば、カーボン含有のＢｋインクの代わりに、蛍光染料を含むインクを用いてもよい。その場合には、ジアミノスチルベン系が蛍光特性を有していることから、ジアミノスチルベンスルホン酸誘導体などを使用することが可能である。ペン一体型のカメラには、紫外波長を高感度で検出可能なセンサ、あるいは、フイルターを使用することもできる。その場合には、明度の高い色の記録材によって位置情報を記録することにより、文字などを含む画像の品位の劣化を防止することできる。この点、カーボン含有のＢｋインクによって位置情報を記録した場合には、その位置情報が上述したような微小ドット（黒点）とはいえ人間の目には粒子として映り、記録したい文字などを含む画像を多少ではあるが劣化させるおそれがある。
【００５３】
また、これまでの実施形態では記録装置として、インクジェット記録装置の例で説明したがこれの限定されるものではない。黒点形成にカーボンを含有した記録、他の色形成にカーボンを含有しない記録系では、同じ効果を得ることができる。
【００５４】
（さらに他の実施形態）
本発明は上述のように、複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【００５５】
また、前述した実施形態の機能を実現するように各種のデバイスを動作させるように該各種デバイスと接続された装置あるいはシステム内のコンピュータに、図５、図７に示したような前記実施形態機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００５６】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【００５７】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００５８】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００５９】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能拡張ユニットに備わるＣＰＵ等が実際の処理の一部または全部を行い、その処理によって前述した実施形態の機能が実現される場合も本発明に含まれることは言うまでもない。
【００６０】
以下、本発明の実施態様を以下に示す。
【００６１】
［実施態様１］  それ自体の記録位置に対応付けられる位置情報の画像とその他の画像を１つの記録媒体上に記録するための記録方法であって、
前記位置情報画像を記録するための記録データに基づいて、当該位置情報画像を形成する色材のドットデータを取得し、
該取得した位置情報画像を形成する色材のドットデータに基づいて、前記その他の画像を形成する色材のドットデータを、当該その他の画像のドット密度を低下させるよう変更し、
前記位置情報画像の記録データと前記変更されたその他の画像の記録データとに基づいて前記１つの記録媒体に記録を行う、
ステップを有したことを特徴とする記録方法。
【００６２】
［実施態様２］  前記その他の画像を形成する色材のドットデータを変更するステップは、前記位置情報画像のドットと同じ位置に形成される前記その他の画像のドットを間引くことを特徴とする実施態様１に記載の記録方法。
【００６３】
［実施態様３］  前記その他の画像を形成する色材のドットデータを変更するステップは、前記位置情報画像のドットと同じ位置および隣接する位置に形成される前記その他の画像のドットを間引くことを特徴とする実施態様１に記載の記録方法。
【００６４】
［実施態様４］  前記その他の画像を形成する色材のドットデータを変更するステップは、前記位置情報画像のドットに隣接する所定領域に形成される前記その他の画像のドットのデューティーを下げることを特徴とする実施態様１に記載の記録方法。
【００６５】
［実施態様５］  前記位置情報画像のドットは、カーボンブラックを含む色材によって記録することを特徴とする実施態様１ないし４のいずれかに記載の記録方法。
【００６６】
［実施態様６］  それ自体の記録位置に対応付けられる位置情報の画像とその他の画像を１つの記録媒体上に記録するための記録システムであって、
前記位置情報画像を記録するための記録データに基づいて、当該位置情報画像を形成する色材のドットデータを取得する取得手段と、
該取得した位置情報画像を形成する色材のドットデータに基づいて、前記その他の画像を形成する色材のドットデータを、当該その他の画像のドット密度を低下させるよう変更する変更手段と、
前記位置情報画像の記録データと前記変更されたその他の画像の記録データとに基づいて前記１つの記録媒体に記録を行う記録手段と、
を具えたことを特徴とする記録システム。
【００６７】
［実施態様７］  前記変更手段は、前記位置情報画像のドットと同じ位置に形成される前記その他の画像のドットを間引くことを特徴とする実施態様６に記載の記録システム。
【００６８】
［実施態様８］  前記変更手段は、前記位置情報画像のドットと同じ位置および隣接する位置に形成される前記その他の画像のドットを間引くことを特徴とする実施態様６に記載の記録システム。
【００６９】
［実施態様９］  前記変更手段は、前記位置情報画像のドットに隣接する所定領域に形成される前記その他の画像のドットのデューティーを下げることを特徴とする実施態様６に記載の記録システム。
【００７０】
［実施態様１０］  前記位置情報画像のドットは、カーボンブラックを含む色材によって記録することを特徴とする実施態様６ないし９のいずれかに記載の記録システム。
【００７１】
［実施態様１１］  前記記録手段は、インクジェト方式により記録を行うことを特徴とする実施態様６ないし１０のいずれかに記載の記録システム。
【００７２】
［実施態様１２］  それ自体の記録位置に対応付けられる位置情報の画像とその他の画像を１つの記録媒体上に記録するための処理を行なう画像処理装置であって、
前記位置情報画像を記録するための記録データに基づいて、当該位置情報画像を形成する色材のドットデータを取得する取得手段と、
該取得した位置情報画像を形成する色材のドットデータに基づいて、前記その他の画像を形成する色材のドットデータを、当該その他の画像のドット密度を低下させるよう変更する変更手段と、
を具えたことを特徴とする画像処理装置。
【００７３】
［実施態様１３］  コンピュータに読み込まれることにより、それ自体の記録位置に対応付けられる位置情報の画像とその他の画像を１つの記録媒体上に記録するための処理を行なう画像処理を実行するためのプログラムであって、
前記画像処理は、
前記位置情報画像を記録するための記録データに基づいて、当該位置情報画像を形成する色材のドットデータを取得し、
該取得した位置情報画像を形成する色材のドットデータに基づいて、前記その他の画像を形成する色材のドットデータを、当該その他の画像のドット密度を低下させるよう変更する、
ステップを有したことを特徴とするプログラム。
【００７４】
［実施態様１４］  それ自体の記録位置に対応付けられる位置情報の画像とその他の画像を１つの記録媒体上に記録するための処理を行なう画像処理を実行するためのプログラムをコンピュータに読取り可能に記憶した記憶媒体であって、
前記画像処理は、
前記位置情報画像を記録するための記録データに基づいて、当該位置情報画像を形成する色材のドットデータを取得し、
該取得した位置情報画像を形成する色材のドットデータに基づいて、前記その他の画像を形成する色材のドットデータを、当該その他の画像のドット密度を低下させるよう変更する、
ステップを有したことを特徴とする記憶媒体。
【００７５】
【発明の効果】
以上説明したように本発明によれば、位置情報画像を形成する色材のドットデータに基づいて、位置情報画像以外のその他の画像を形成する色材のドットデータを、当該その他の画像のドット密度を低下させるよう変更するので、その他の画像のドットが、位置情報画像のドットと重なったり、あるいは位置情報画像のドットに隣接する場合を少なくすることができる。
【００７６】
この結果、例えば、位置情報画像のドットが黒色で他のカラードットと重なって形成されることがそれほど意味のない場合に、インク等の色材を無駄に使用することを防止できる。また、位置情報画像のドットとその他の画像のドットをインクを色材として形成する場合は、これらインク同士のブリードを防止でき、また、記録用紙のコックリングをも防止できる。
【図面の簡単な説明】
【図１】本発明を適用可能な記録装置の例として、インクジェット記録装置を説明するための図である。
【図２】上記インクジェット記録装置における制御構成の主要部を示すブロック図である。
【図３】図２に示した上位装置としてのホストコンピュータ５００の構成を示すブロック図である。
【図４】ペン入力法において用いられる位置情報の一例を説明する図である。
【図５】本発明の第１の実施形態にかかる画像処理の手順を示すフローチャートである。
【図６】（ａ）〜（ｅ）は、黒点パターンおよびカラー画像を記録する場合の各ドット配置およびカラードットの間引きを説明する図である。
【図７】本発明の第２の実施形態にかかる画像処理の手順を示すフローチャートである。
【符号の説明】
１００    記録装置
１０１    キャリッジ
１０２    ガイド軸ａ
１０３    ガイド軸ｂ
１０４    記録ヘッド
１０５    記録媒体
１０６    送りローラ
１０７    プラテン
１０８    スイッチ部と表示部
４０１    受信バッファ
４０２    ＣＰＵ
４０３    ランダムアクセスメモリ部
４０４    機械コントロール部
４０５    機械部
４０６    センサ／ＳＷコントロール部
４０７    センサ／ＳＷ部
４０８    表示素子コントロール部
４０９    表示素子部
４１０    記録ヘッドコントロール部
５００    上位装置（ホスト装置；ホストコンピュータ）
【図１】
2004167816.tif 000004
【図２】
2004167816.tif 000005
【図３】
2004167816.tif 000006
【図４】
2004167816.tif 000007
【図５】
2004167816.tif 000008
【図６】
2004167816.tif 000009
【図７】
2004167816.tif 000010